(57)【要約】【課題】  従来の駐車場管理システムにおける情報入力装置では、遊技機におけるアウト玉を検出するための遊技島内のアウトタンクに接続する部品を必要とするため、遊技情報入力装置を設置する際、施工時間がかかり、作業性が悪かった。また、遊技島内のアウトタンクに接続することで、遊技場で情報入力装置を設置する際、遊技機周辺以外の場所に設置ができず、使用用途が限定されていた。【解決手段】  本発明は、発券機より発券されたカードを受付可能な、カード情報読取・書込部を備えた情報入出力装置と、情報入出力装置を複数接続可能とした統合制御装置と、を設け、情報入出力装置を複数接続した統合制御装置は、接続された全ての情報入出力装置を一括制御することにより達成される。【選択図】      図４
2007082922.tif 000002
【特許請求の範囲】
【請求項１】
駐車場入口にカードを発券する発券機を設置し、カードに記録された情報を読み取る読取機を出口に設置した、遊技場における駐車場管理システムにおいて、
前記発券機より発券されたカードを受付可能な、カード情報読取・書込部を備えた情報入出力装置と、
前記情報入出力装置を複数接続可能とした統合制御装置と、を設け、
前記情報入出力装置を複数接続した前記統合制御装置は、
接続された全ての前記情報入出力装置を一括制御することを特徴とする駐車場管理システム。
【請求項２】
前記統合制御装置は、接続された全ての前記情報入出力装置の動作制御、及び稼動電源を
一括制御することを特徴とする請求項１記載の駐車場管理システム。
【発明の詳細な説明】
【技術分野】
【０００１】
本発明は、遊技場における駐車場管理システム、及び遊技場の駐車場管理のための遊技情報入出力装置、並びに前記情報入出力装置を制御する総合制御装置に関する。
【背景技術】
【０００２】
従来、遊技場の駐車場において、遊技場利用客とその他とに対するサービスの差別化の1つとして、遊技場利用客に対して、駐車料金について所定の無料化などを行うようにした駐車場管理システムが提案されている。
【０００３】
近年、遊技場利用客とその他とに対するサービスの差別化を図る方法として、下記文献が開示されている。
特開２００４−２９０３１１号公報に提案されたものは、遊技機におけるアウト玉を検出する手段を備え、アウト玉の検出により算出された遊技時間に基づき無料駐車時間を算出し、遊技者が遊技に実質費やした時間に相当した無料駐車時間がサービスされるようになっている。当該公報の遊技情報入力装置は、制御部、電源部を内部設けられているため、単体で設置、稼動可能である。
【特許文献１】特開２００４−２９０３１１
【発明の開示】
【発明が解決しようとする課題】
【０００４】
しかしながら、前述した駐車場管理システムにおける情報入力装置では、遊技機におけるアウト玉を検出するための遊技島内のアウトタンクに接続する部品を必要とするため、遊技情報入力装置を設置する際、施工に手間がかかり、設置が困難であった。また、遊技島内のアウトタンクに接続することで、遊技場で情報入力装置を設置する際、遊技機周辺以外の場所に設置ができず、使用用途が限定されていた。また、情報入力装置の内部に制御部、電源部を設けており、遊技島内のアウトタンクに接続する部品など、遊技機毎に必要とするので、非常に高価であった。
【課題を解決するための手段】
【０００５】
上記目的を達成するために、本発明は、駐車場入口にカードを発券する発券機を設置し、カードに記録された情報を読み取る読取機を出口に設置した、遊技場における駐車場管理システムにおいて、発券機より発券されたカードを受付可能な、カード情報読取・書込部を備えた情報入出力装置と、情報入出力装置を複数接続可能とした統合制御装置と、を設け、情報入出力装置を複数接続した統合制御装置は、接続された全ての情報入出力装置を一括制御することにより達成される。
【０００６】
また、請求項１記載に駐車場管理システムにおいて、前述する統合制御装置は、接続された全ての前記情報入出力装置の動作制御、及び稼動電源を一括制御することにより達成される。
【発明の効果】
【０００７】
本発明によれば、遊技島内のアウト玉を検出する必要ないので、遊技島内のアウトタンクに取り付ける部品を必要とせず、情報入出力装置、統合制御装置を遊技島内に設置する際、作業が簡略化する。また、遊技機周辺以外にも設置が可能なため、使用用途が限定されず、多くの用途で使用可能できる。さらに、情報入出力装置の内部に制御部、電源部を設けず、統合制御装置にて一括制御を行うことで、情報入出力装置のコストアップを招くことはない。
【実施例１】
【０００８】
以下、各図面に基づき、本発明の駐車場管理システムを説明する。図１は本実施の形態が適用される駐車場設備を示す図である。駐車場１の入口ゲート３にはカード発券機３ａと、入口遮断機３ｅと、が設置されている。カード発券機３ａは、発券ボタン３ｂと、カード繰出口３ｃと、を備え、利用客が前記発券ボタン３ｂを押すことにより、ＩＣカード２５がカード繰出口３ｃから繰り出される。利用客が前記ＩＣカード２５をカード繰出口３ｃから取り出すと、ゲート制御部３ｄを介し入口遮断機３ｅが開いて、車両は駐車場１内に入場可能となる。車両が駐車場１内に入場し、車両確認用検知器（図示せず）が、入口ゲート３に車両が無いことを確認すると、入口遮断機３ｅが遮断状態となる。  
【０００９】
一方、駐車場１の出口ゲート５では、カード読取機５ａと、精算機５ｂと、出口遮断機５ｄと、が設置されている。利用客がカード読取機５ａにＩＣカード２５を返却すると、前記ＩＣカード２５に書き込まれた情報を基に、駐車場利用時間が所定の無料駐車時間内であるときは、ゲート制御部５ｃを介して直ちに出口遮断機５ｄを開いて車両の退場を可能とする。また、駐車場利用時間が所定の無料駐車時間を超えている場合には、その超えている時間分の駐車料金が精算機５ｂに払われた後、出口遮断機５ｄが開かれる。なお、カード読取機５ａに挿入されたＩＣカード２５はそのまま回収される。  
【００１０】
図２は、本発明である情報入出力装置７を設置した遊技島２１の構成を示す図である。図２に示す通り、遊技島２１は遊技機２３（図中はパチンコ機）を横方向、直線的に配列し構成している。情報入出力装置７は、遊技機２３の上部に位置し、遊技機２３毎に設置されている。図２において、遊技島２１は、遊技機２３はパチンコ機が配されたものと示すが、スロットマシンが配された遊技島２１においても設置が可能である。また、情報入出力装置７は図中において、遊技機２３の上部に設置しているが、設置場所は遊技機２３の周辺（例えば遊技機２３の側面、下部、椅子等）であれば限定はしない。  
【００１１】
図３は遊技島２１に設置されている情報入出力装置７の外観斜視図を示す図である。情報入出力装置７は略長方形の形状をしており、上部には利用客がカード発券機３ａで受け取ったＩＣカード２５を縦方向に差込可能である挿入口７ａを設けている。情報入出力装置７の前面側には、発光部７ｂを備え、ＩＣカード２５の有無、カード情報の読取・書込時を点灯・点滅で表示する。情報入出力装置７の内部には読取・書込部７ｃを備えており、ＩＣカード２５に書き込まれた情報を読み取り、情報の書込みを行う。情報入出力装置７の背面には、遊技島や遊技機周辺に取り付けるための係止穴（図示せず）が設けられ、ネジ等で係止することで、様々な場所に設置が可能である。
【００１２】
情報入出力装置７は、ＩＣカード２５が挿入されてから、所定時間（例えば１分）を単位とするポイントで計数し定期的にＩＣカード２５に書込みを行う。計数されたポイントは、利用客がＩＣカード２５を取り出すまで計数を行い、利用客が退場する際に、駐車場１の出口ゲート５でカード読取機５ａに情報入出力装置７から取り出したＩＣカード２５を返却すると、前記ＩＣカード２５に書き込まれた情報を基に、駐車場利用時間が所定の無料駐車時間内であるときは、ゲート制御部５ｃを介して直ちに出口遮断機５ｄを開いて車両の退場を可能とする。
【００１３】
図４は駐車場管理システムにおける、情報入出力装置７と、統合制御装置９の構成を示す図である。統合制御装置９は、略四角形状の外観で、統合制御装置９の前面には表示部９ａ、操作スイッチ９ｂ、書込端子９ｃと、を備えている。統合制御装置９の側面には電源を受け取るためのコネクタと、複数の情報入出力装置７を接続するための接続コネクタ９ｄを備えている。統合制御装置９は遊技島２１の内部に、統合制御装置９の上面に設けた止穴９ｅにてネジ等で固定され、設置されている。
【００１４】
統合制御装置９の前面に位置する表示部９ａは、制御の動作状況、バージョン情報、エラー内容などの表記するためのものであり、液晶画面、７セグ等、表記可能であれば限定しない。操作スイッチ９ｂは、情報入出力装置７の制御方法等を操作、決定を統合制御装置９で行うスイッチである。書込端子９ｃは統合制御装置９の制御プログラム等、プログラムの書き換えを行う際に、使用するものである。
【００１５】
統合制御装置９の側面には複数の接続コネクタ９ｄが設けられ、遊技島２１の外部に設置されている情報入出力装置７と、遊技島２１の内部で配線を通じて接続されており、接続コネクタ９ｄを介して各情報入出力装置７の動作制御や電源供給を行っている。図中では統合制御装置９に接続されている情報入出力装置７の数は４であるが限定はしない。
【００１６】
図５は、情報入出力装置７と、統合制御装置９の内部構成を示す図である。情報入出力装置７の内部は、発光部７ｂを設けた読取・書込部７ｃのみ備えられ、稼動電源は統合制御装置９より接続コネクタ９ｄを通じ受け取っている。統合制御装置９の内部には表示部９ａ、操作スイッチ９ｂ、書込端子９ｃ、接続コネクタ９ｄを設けた制御部１１と、電源を受け取る電源部１３が備えられている。
【００１７】
統合制御装置９に接続された各情報入力装置７の内部は、発光部７ｂを設けた読取・書込部７ｃのみの構成とし、各情報入力装置７の動作制御、及び稼動電源は統合制御装置９の制御部１１から供給される。前述する方式によれば、複数の情報入出力装置７の動作制御、電源供給は、１台の統合制御装置９で一括制御しているため、情報入出力装置７は制御部、電源部を備えずとも稼動可能である。
【００１８】
次に、本発明における駐車場管理システムの作用を説明する。駐車場１の入口ゲート３に設けられたカード繰出機３ｃより繰出されたＩＣカード２５を利用客は受け取り、遊技場内の駐車場１に車両を駐車する。利用客は受け取ったＩＣカード２５を遊技島２１に設置されている情報入出力装置７へ挿入し、遊技を行う。  
【００１９】
情報入出力装置７は、ＩＣカード２５が挿入されてから、所定時間（例えば１分）を単位とするポイントで計数し定期的にＩＣカード２５に書込みを行う。前述する計数されたポイントは、利用客がＩＣカード２５を取り出すまで計数を行う。駐車場１の出口ゲート５に設置されたカード読取機５ａは、ＩＣカード２５に書き込まれたポイントを基に、無料駐車時間に算出する。  
【００２０】
前述した本発明によると、統合制御装置９で複数の情報入出力装置７を制御することで情報入出力装置７に制御部、及び電源部を備える必要がなくなり、安価な構成で実現可能である。また、遊技場に合わせたポイント算出の方法変更などで制御プログラムの書き換えを行う際に、統合制御装置９の書込端子９ｃの書込みのみで変更可能なので、各情報入出力装置７を個別に制御プログラムの書き換えを行う必要はなく、短時間で効率よく制御プログラムの書き換えを行うことが可能である。  
【００２１】
本発明による駐車場管理システムで統合制御装置９は、遊技島２１の内部に設置し、情報入出力装置７は遊技島２１の外部である遊技機２３の周辺部に設置するのみなの、施工時間の短縮、施工の簡略化に繋がる。また、遊技機２３、玉貸機と連動したものではないため、遊技機２３の周辺だけでなく喫煙所、休憩室等、様々な場所に設置が可能となる。前述する方法であれば、利用客は、休憩や食事を取るとき、情報入出力装置７よりＩＣカード２５を取り出し、休憩所、又は食事処に設置された情報入出力装置７へ前記ＩＣカードを挿入することで、継続的にポイントを貯めることができる。また、情報入出力装置７は、装置単体ではなくとも、図６に示すように玉貸機２７、又は遊技機２３の周辺設備（呼出ランプ、椅子等）に内蔵する装置であってもよい。  
【００２２】
なお、本発明を実施する遊技場側の仕様によっては、アウトタンクに取り付けた情報検出部品、スロット台のメダル識別装置への接続部品等を用いて、アウト玉の検出、メダルのイン検出を行い、無料駐車時間を算出することを可能としてもよい。  
【００２３】
本発明における駐車場管理システムは、前述したように遊技機２３と連動した装置ではないため、遊技場だけでなく、デパート、レストランなどの、一般に普及している駐車場設備にそのまま利用できる利点を有する。
【図面の簡単な説明】
【００２４】
【図１】本実施の形態が適用される駐車場設備を示す図である。
【図２】情報入出力装置を設置した遊技島の構成を示す図である。
【図３】情報入出力装置の外観斜視図を示す図である。
【図４】駐車場管理システムにおける、情報入出力装置と、統合制御装置の構成を示す図である。
【図５】情報入出力装置と、統合制御装置内部の構成を示す図である。
【図６】情報入出力装置を内蔵した玉貸機を示す図である。
【符号の説明】
【００２５】
１      駐車場  ３      入口ゲート  ３ａ    カード発券機  ３ｂ    発券ボタン  ３ｃ    カード取出口  ３ｄ、５ｃ      ゲート制御部  ３ｅ    入口遮断機５      出口ゲート５ａ    カード読取機５ｂ    精算機５ｄ    出口遮断機７      情報入出力装置  ７ａ    挿入口  ７ｂ    発光部  ７ｃ    読取・書込部  ９      統合制御装置  ９ａ    表示部  ９ｂ    操作スイッチ  ９ｃ    書込端子  ９ｄ    接続コネクタ  ９ｅ    止穴  １１    制御部  １３    電源部２１    遊技島２３    遊技機２５    カード２７    玉貸機２９    情報入出力装置
【図１】
2007082922.tif 000003
【図２】
2007082922.tif 000004
【図３】
2007082922.tif 000005
【図４】
2007082922.tif 000006
【図５】
2007082922.tif 000007
【図６】
2007082922.tif 000008